(57)【要約】【課題】  木質建物ユニットおいて、建物に作用する水平力に対し、壁パネルを簡易かつ確実に引抜き防止すること。【解決手段】  壁パネル１０と床パネル２０から構成される木質建物ユニット１において、ひねり金物３０の一端を壁パネル１０の開口脇縦枠１３Ａに釘打ち固定し、該ひねり金物３０の他端を床パネル２０の床根太２１Ａに釘打ち固定してなるもの。【選択図】  図２
2006089953.tif 000002
【特許請求の範囲】
【請求項１】
壁パネルと床パネルから構成される木質建物ユニットにおいて、
ひねり金物の一端を壁パネルの開口脇縦枠に釘打ち固定し、該ひねり金物の他端を床パ
ネルの床根太に釘打ち固定してなることを特徴とする木質建物ユニット。
【請求項２】
前記ひねり金物が、壁パネルの下枠と床パネルの面材に設けたルーズホールを通して上
下に延在されてなる請求項１に記載の木質建物ユニット。
【発明の詳細な説明】
【技術分野】
【０００１】
本発明は木質建物ユニットに関する。
【背景技術】
【０００２】
木質建物ユニットとして、特許文献１に記載の如く、壁パネルの縦枠と床パネルの床根
太をホールダウン金物で締結し、建物に作用する水平力に対し壁パネルと床パネルを一体
にし、壁パネルの引抜きを防止しようとするものがある。
【特許文献１】特開2000-96723号公報
【発明の開示】
【発明が解決しようとする課題】
【０００３】
特許文献１の従来技術では、ホールダウン金物がＬ金物とボルトの組合せからなるもの
であって複雑であり、コスト高になる。
【０００４】
尚、壁パネル１と床パネル２を簡易に接合する従来技術として、図６（Ａ）に示す如く
、帯金物３の両端を建物ユニットの外側から壁パネルと床パネルの外面に釘打ちするもの
がある。ところが、この従来技術では、帯金物を建物ユニットの据付け後に該建物ユニッ
トの外面に釘打ちすることが隣接する他の建物ユニットの存在によって不可能であるし、
帯金物を建物ユニットの据付け前から該建物ユニットの外面に釘打ちしておく場合には、
帯金物３が建物ユニットの輸送、吊り上げ時に延び（図６（Ｂ））、その後の据付け時に
膨れ（図６（Ｃ））、壁パネル１と床パネル２の一体効果を損ね、壁パネル１の引抜きを
十分に防止できない。
【０００５】
本発明の課題は、木質建物ユニットおいて、建物に作用する水平力に対し、壁パネルを
簡易かつ確実に引抜き防止することにある。
【課題を解決するための手段】
【０００６】
請求項１の発明は、壁パネルと床パネルから構成される木質建物ユニットにおいて、ひ
ねり金物の一端を壁パネルの開口脇縦枠に釘打ち固定し、該ひねり金物の他端を床パネル
の床根太に釘打ち固定してなるようにしたものである。
【０００７】
請求項２の発明は、請求項１の発明において更に、前記ひねり金物が、壁パネルの下枠
と床パネルの面材に設けたルーズホールを通して上下に延在されてなるようにしたもので
ある。
【発明の効果】
【０００８】
（請求項１）
(a)壁パネルと床パネルをひねり金物の釘打ち構造により簡易に一体にできる。
【０００９】
(b)ひねり金物は壁パネルの開口脇縦枠と床パネルの床根太に釘打ち固定されるもので
あり、壁パネルと床パネルのパネル内部に設けられる。従って、ひねり金物は建物ユニッ
トの据付け後に、隣接する他の建物ユニットの存在に関係なく、当該建物ユニットのパネ
ル内部にて釘打ちできる。これにより、建物ユニットの工場生産段階で、ひねり金物の一
端を壁パネルの開口脇縦枠に釘打ち固定しておき、建物ユニットの輸送、吊り上げ後の現
地据付け段階で、ひねり金物の他端を床下から床パネルの床根太に釘打ち固定する等がで
きるから、ひねり金物の両端を釘打ち固定した状態で建物ユニットを吊り上げることによ
るひねり金物の延び、膨らみを回避できる。ひねり金物により壁パネルと床パネルを安定
的に一体化し、壁パネルの引抜きを確実に防止できる。
【００１０】
（請求項２）
(c)ひねり金物を、壁パネルの下枠と床パネルの面材に設けたルーズホールを通して上
下に延在するようにしたから、ひねり金物を壁パネル〜床パネルに簡易に添い設けること
ができる。
【発明を実施するための最良の形態】
【００１１】
図１は木質建物ユニットを示す斜視図、図２は図１のII部における壁パネルと床パネル
の接合構造を示す断面図、図３は図２のIII−III線に沿う断面図、図４は図２のIV−IV線
に沿う断面図、図５はひねり金物を示し、(A)はひねり加工前の正面図、（Ｂ）はひねり
加工後の正面図、図６は従来例の帯金物の使用状態を示す模式図である。
【実施例】
【００１２】
図１の木質建物ユニット１は、コンクリート製基礎２（図２、図３）の上に据付け固定
され、又は他の下階建物ユニットの上に据付け固定され、ユニット建物の構成要素となる
。
【００１３】
木質建物ユニット１は、図１〜図３に示す如く、壁パネル１０と床パネル２０から構成
される。
【００１４】
壁パネル１０は、床パネル２０の外縁に立設されるものであり、上枠１１、下枠１２、
縦枠１３からなる壁枠組１０Ａの内外に、内壁面材１４と外壁面材１５を貼り設けて構成
される。
【００１５】
床パネル２０は、床根太２１からなる床枠組２０Ａの下面周囲につなぎ材２２を固定し
、床枠組２０Ａの上面に床面材２３を貼り設けて構成される。
【００１６】
本発明が適用される木質建物ユニット１は、壁パネル１０の壁面の一部又は全部に開口
１６を備えており、開口１６を設けたことによって水平力に対する引抜き強度が脆弱化す
る傾向にある壁パネル１０を補強するため、以下の構成を具備する。
【００１７】
即ち、木質建物ユニット１は、図２〜図４に示す如く、ひねり金物３０の一端取付部３
１を壁パネル１０の開口脇縦枠１３Ａにおいて両壁面材１４、１５に挟まれる壁内に臨む
側面１３Ｂに釘３１Ａにより固定し、該ひねり金物３０の他端取付部３２を床パネル２０
の側根太２１Ａの床下内に臨む側面２１Ｂに釘３２Ａにより固定する。これにより、木質
建物ユニット１は、壁パネル１０と床パネル２０を一体につなぎ、建物に作用する水平力
に対する壁パネル１０の引抜き強度を向上する。
【００１８】
ひねり金物３０は、図５に示す如く、一端取付部３１と他端取付部３２をつなぎ部３３
によりつないだ、平鋼板等の折曲げ成形体である。このとき、開口脇縦枠１３Ａと側根太
２１Ａが互いに直交配置され、開口脇縦枠１３Ａの側面１３Ｂと側根太２１Ａの側面２１
Ｂも互いに直交するため、ひねり金物３０は一端取付部３１と他端取付部３２を互いに直
角をなすようにひねり加工（折曲げ）して構成されたものになる。図５（Ａ）はひねり金
物３０のひねり加工前の状態、図５（Ｂ）はひねり金物３０のひねり加工後の状態を示す
。
【００１９】
また、木質建物ユニット１は、工場生産段階で、壁パネル１０における開口脇縦枠１３
Ａの側傍の下枠１２と、床パネル２０における側根太２１Ａの側傍の床面材２３にルーズ
ホール４１、４２を穿設しており、ひねり金物３０をルーズホール４１、４２に通し、壁
パネル１０の側から床パネル２０の側に上下に延在する。
【００２０】
尚、木質建物ユニット１は、基礎２（又は下階建物ユニット）への据付け後における壁
パネル１０の引抜き強度を向上しようとするものであり、ひねり金物３０の一端取付部３
１の壁パネル１０への上述した取付けだけを工場生産段階で行ない、ひねり金物３０の他
端取付部３２の床パネル２０への上述した取付けは現地据付け後に行なう。
【００２１】
従って、木質建物ユニット１の据付け手順は以下の如くなされる。
(1)工場生産された木質建物ユニット１を建築現場に輸送し、木質建物ユニット１の平
面視の４隅に連結した吊り具を用いて木質建物ユニット１を吊り上げ、基礎２（又は下階
建物ユニット）の上に据付ける。このとき、ひねり金物３０は、一端取付部３１だけを壁
パネル１０の開口脇縦枠１３Ａの側面１３Ｂに釘打ち固定し、他端取付部３２は壁パネル
１０の下枠１２のルーズホール４１、床パネル２０の床面材２３のルーズホール４２を通
って床パネル２０の側根太２１Ａの側面２１Ｂの面前に単に位置付けられる。尚、木質建
物ユニット１の吊り上げ時に、壁パネル１０と床パネル２０は不図示の上下接続具により
上下一体に保持される。
【００２２】
(2)木質建物ユニット１の据付け後に、ひねり金物３０の他端取付部３２を、床下から
床パネル２０の側根太２１Ａの側面２１Ｂに釘打ち固定する。
【００２３】
本実施例によれば以下の作用効果を奏する。
(a)壁パネル１０と床パネル２０をひねり金物３０の釘打ち構造により簡易に一体にで
きる。
【００２４】
(b)ひねり金物３０は壁パネル１０の開口脇縦枠１３Ａと床パネル２０の側根太２１Ａ
に釘打ち固定されるものであり、壁パネル１０と床パネル２０のパネル内部に設けられる
。従って、ひねり金物３０は建物ユニット１の据付け後に、隣接する他の建物ユニット１
の存在に関係なく、当該建物ユニット１のパネル内部にて釘打ちできる。これにより、建
物ユニット１の工場生産段階で、ひねり金物３０の一端を壁パネル１０の開口脇縦枠１３
Ａに釘打ち固定しておき、建物ユニット１の輸送、吊り上げ後の現地据付け段階で、ひね
り金物３０の他端を床下から床パネル２０の側根太２１Ａに釘打ち固定する等ができるか
ら、ひねり金物３０の両端を釘打ち固定した状態で建物ユニット１を吊り上げることによ
るひねり金物３０の延び、膨らみを回避できる。ひねり金物３０により壁パネル１０と床
パネル２０を安定的に一体化し、壁パネル１０の引抜きを確実に防止できる。
【００２５】
(c)ひねり金物３０を、壁パネル１０の下枠１２と床パネル２０の床面材２３に設けた
ルーズホール４１、４２を通して上下に延在するようにしたから、ひねり金物３０を壁パ
ネル１０〜床パネル２０に簡易に添い設けることができる。
【００２６】
以上、本発明の実施例を図面により詳述したが、本発明の具体的な構成はこの実施例に
限られるものではなく、本発明の要旨を逸脱しない範囲の設計の変更等があっても本発明
に含まれる。
【図面の簡単な説明】
【００２７】
【図１】図１は木質建物ユニットを示す斜視図である。
【図２】図２は図１のII部における壁パネルと床パネルの接合構造を示す断面図である。
【図３】図３は図２のIII−III線に沿う断面図である。
【図４】図４は図２のIV−IV線に沿う断面図である。
【図５】図５はひねり金物を示し、(A)はひねり加工前の正面図、（Ｂ）はひねり加工後の正面図である。
【図６】図６は従来例の帯金物の使用状態を示す模式図である。
【符号の説明】
【００２８】
１  木質建物ユニット
１０  壁パネル
１２  下枠
１３Ａ  開口脇縦枠
２０  床パネル
２１Ａ  側根太（床根太）
２３  面材
３０  ひねり金物
４１、４２  ルーズホール
【図１】
2006089953.tif 000003
【図２】
2006089953.tif 000004
【図３】
2006089953.tif 000005
【図４】
2006089953.tif 000006
【図５】
2006089953.tif 000007
【図６】
2006089953.tif 000008